(57)【要約】【課題】  印影を偽造することが出来ないように構成した印鑑の提供。【解決手段】  六四易卦図の中央に印影を形成し、六四易卦図には中心から半径方向へ延びる複数本の易卦線２，２・・を５．６２５°毎に設ける。また、六四易卦図には中心から半径方向へ延びる角度線１，１・・を１°毎に設けると共に、これら角度線１，１・・には１〜９の番号を繰り返して付している。そして、解析統計開運暦を基にしてその人の生年月にて定まる開運ラッキーナンバーを定めて上記六四易卦図に設けた角度線を開運ラッキー線３，３・・と定め、この開運ラッキー線３，３・・の上に上記印影を構成する字体の各画４，４・・の先端が位置するように字体を形成している。【選択図】    図２
0003208096.tif 000002
【実用新案登録請求の範囲】
【請求項１】
印影を偽造することが出来ないように構成した印鑑において、六四易卦図の中央に上記印影を形成し、六四易卦図には中心から半径方向へ延びる複数本の易卦線を５．６２５°毎に設け、また、六四易卦図には中心から半径方向へ延びる角度線を１°毎に設けると共に、これら角度線には１〜９の番号を繰り返して付し、解析統計開運暦を基にしてその人の生年月にて定まる開運ラッキーナンバーを定めて上記六四易卦図に設けた角度線を開運ラッキー線と定め、この開運ラッキー線の上に上記印影を構成する字体の各画の先端が位置するように字体を形成したことを特徴とする偽造防止機能を備えた印鑑。
【考案の詳細な説明】
【技術分野】
【０００１】
本考案は印影を偽造して作ることが出来ないように構成している印鑑に関するものである。
【背景技術】
【０００２】
印鑑もその用途によって色々使い分けられ、手軽に使うことが出来る認め印、重要な書類に押印する為に実印、また銀行の取引書類に使う銀行印などがある。
ところで、上記実印や銀行印は盗難に遭わないように保管されているが、書類に押印した印影を基にして偽造される場合がある。
今日、印鑑の印影はコンピュータに入力した字体に基づいて加工され、その為に従来の一般的な字体で構成している印鑑であれば比較的容易に偽造することが可能となる。
【０００３】
従来においても印鑑の偽造を防止した技術は色々知られている。例えば、特開２００５−６６８３７号に係る「印鑑の偽造防止方法」は、印影の一致のみで、該当印鑑と認定される為、偽造されるという問題を防止するものである。
そこで、印鑑１本に印影の他に識別の為の特徴を付加し、印影を含む複数の一致をもって該当印鑑として認定できるように、印面内に印影にはならない位置に文字列等の簡易加工を加えたり、印鑑外部に任意の文字列の簡易加工を加えたりする。その為に、契約者間で印影だけにたよらない確認ができ、印影からの偽造を防止できる。
【０００４】
特開２００２−１０９５４５号に係る「印鑑照合装置」は、利用者の利便性を損なわず、かつ、通帳による印影の偽造を防止することが出来る。
すなわち、登録印影データベースには登録印影が格納されている。利用者が保有する通帳の印鑑欄には、登録印影の一部の領域のみが記録されていて、被照合印影を照合する場合、照合部は登録印影データベース中から該当する登録印影画像を取り出し、被照合印影と照合することが出来る。
【０００５】
特開平８−２１５７号に係る「偽造防止方法」は、証券、印鑑、彫刻品等の世の中に１つしかない物体の偽造防止のための方法である。
すなわち、紙葉，印鑑あるいは彫刻品に特殊材料を不均一に塗布、または混入し、発行時あるいは売買時に登録・確認装置に具備されたセンサ−により塗布パタ−ン、あるいは混入パターンを測定し、全特性、演算値あるいは暗号化結果をファイル装置に登録する。真偽の確認時には、登録・確認装置を用いて、再びセンサで塗布パタ−ン、混入パターンを測定し、ファイル装置に登録されているパタ−ンデ−タとの比較を行うことにより、真偽を判定することが出来る。
【０００６】
【特許文献１】特開２００５−６６８３７号に係る「印鑑の偽造防止方法」
【特許文献２】特開２００２−１０９５４５号に係る「印鑑照合装置」
【特許文献３】特開平８−２１５７号に係る「偽造防止方法」
【考案の開示】
【考案が解決しようとする課題】
【０００７】
このように偽造されないように構成した印鑑は色々知られている。本考案はその目的は同じであるが、従来の考えとは全く異なる思想を基にして偽造を防止することができると共に、使用することで運勢を向上することができるように構成した印鑑を提供する。
【課題を解決するための手段】
【０００８】
本考案に係る偽造防止機能を備えた印鑑は、解析統計万年暦に基づいて作成される。この解析統計万年暦とは実用新案登録第３１９７１０６号にその詳細は記述されているように、各個人に適合した数字と不適合な数字を配列して構成した暦である。この解析統計万年暦はその人が生まれた年月に基づいて統計的に構築したものであって、その人に適合した数字と不適合な数字が定められている。日常の生活で数字を使うことは多く、例えば車の登録番号、マンションの部屋番号、住所の番地など色々あるが、その人に適合した数字とする方が好ましい。
【０００９】
ところで、解析統計万年暦では各年度の月ごとに数字を配列し、使用するに適さない数字から使用するに適す数字を順次に列記した表を構成している。
そして、この列記した数字を複数段階評価で区分し、例えば３段階と成るラッキーナンバー（開運招福数）、準ラッキーナンバー（準開運招福数）、アンラッキーナンバー（厄難災難数）に分けることが出来る。勿論、より細かく区分することも可能である。
【００１０】
この解析統計万年暦に表示される暦は太陽暦でなく明治維新前まで使用されて来た旧暦（太陰暦）として表している。
本考案は古来から中国に伝わっている円盤型をした六四易卦図を使用し、この六四易卦図には中心から半径方向へ延びる６４本の易卦線を形成して全周を５．６２５°毎に区分している。そして、この易卦線の他に１°毎に中心から半径方向へ延びる角度線（細区分線）を設け、これら各角度線は０°を基点として１〜９の番号が繰り返し付されている。
【００１１】
上記解析統計万年暦を基にして、自分の開運ラッキーナンバーを知ることが出来、この開運ラッキーナンバーに該当する番号を定めて六四易卦図上に設けた上記角度線を開運ラッキー線とする。
本考案の印鑑は、その印影を上記六四易卦図の上に中心を一致して形成され、印影に表示される名前（名称）を表す文字（漢字）の各画先端が上記開運ラッキー線上に位置するように構成している。
【考案の効果】
【００１２】
本考案に係る印鑑は、その印影が六四易卦図上に形成され、そして六四易卦図には開運ラッキー線を設けている。そして、印影を構成する漢字の各画先端は開運ラッキー線上に位置するように定まっている。したがって、同じ漢字であっても各自の開運ラッキーナンバーを基にして設けられる開運ラッキー線はそれぞれ異なる為に、字体の基本形態は共通していても画の先端には微妙な差異が生じ、容易に偽造することは出来ない。
【００１３】
一方、六四易卦図には５．６２５°毎に中心から半径方向へ延びる易卦線が描かれ、また中心から半径方向へ延びて漢字の各画先端と交わる上記開運ラッキー線が設けられている。そこで、易卦線の間に存在する開運ラッキー線の本数を調べることで、印影の真偽を判断することが出来る。
すなわち、本考案の印鑑では開運ラッキー線上に漢字の各画先端を位置させると共に、開運ラッキー線が易卦線間位置する本数との二重防止機能を備えている。
【図面の簡単な説明】
【００１４】
【図１】六四易卦図を示す具体例。
【図２】六四易卦図の中央に印影を形成した場合。
【図３】１９７６年生まれの人の解析開運万年暦。
【考案を実施するための形態】
【００１５】
図１は六四易卦図を表している具体例であり、円盤を形成している六四易卦図はその外周に１０°刻みで１０°、２０°、３０°・・・と表示され、これら各角度毎に中心から半径方向へ延びる角度線１，１・・・が形成されている。そして、同図には易卦線２，２・・・が設けられ、該易卦線２，２・・・とは３６０°を６４分割している線であり、５．６２５°毎に中心から半径方向へ延びている。
【００１６】
ところで、５．６２５°毎に設けられる易卦線２，２・・・は角度線１，１・・・とは０°，９０°，１８０°，２７０°にて一致するが、その他では交わることなく僅かづつその位置を異にして延びている。
そして、同図の外周には上記角度線１，１・・・を表すために数字１，２，３・・・９が表示され、この数字１，２，３・・・９は繰り返し表示されている。
【００１７】
例えば、１８１°の場合、個々の数字に分解すると１＋８＋１＝１０となり、この１０はさらに分解するならば１＋０＝１となることで、１８１°に当たる位置は１として表示されている。
同じく、１８２°の場合、個々の数字に分解すると１＋８＋２＝１１となり、この１１はさらに分解するならば１＋１＝２となることで、１８２°に当たる位置は２として表示されている。
さらに、１８３°の場合、個々の数字に分解すると１＋８＋３＝１２となり、この１２はさらに分解するならば１＋２＝３となることで、１８３°に当たる位置は３として表示されている。
同じように、１８４°、１８５°・・・は４，５・・・として表示される。
【００１８】
本考案に係る偽造防止機能を備えた印鑑の印影はこの六四易卦図を基にして作ることが出来る。同図の中央部に形成している正方形は、印影が作られる領域であり、印影の中心は六四易卦図の中心と一致する。
図２は六四易卦図の中央に印鑑の印影を形成した具体例であり、この印影は解析統計万年暦を基にして作られている。
【００１９】
図３は実用新案登録第３１９７１０６号に係る解析統計万年暦を示す具体例であり、１９７６年（昭和５１年）に生まれた人の暦である。
同図には男性用と女性用が対を成して表示され、１月〜１２月における生まれ月ごとに数字が記載されている。ここで、表示されている月は旧暦表示であり、１月とは６日１３時５８分〜、２月とは５日１時４０分〜からの時間帯であり、以下、３月、４月、５月・・・・も同暦に記載しているように定まる。
【００２０】
ところで、１９７６年５月生まれの女性の場合、６＜１・４＜２・３＜７・８＜５＜９のように数字が列記されている。
ここで、使うことを避けたい数字は６と１及び４であり、２，３，７，８の順に好ましくない。使うに適している数字は５と９であり、９が最も好ましい。数字の間に表示している記号「＜」を持って使用するに不適当な数字の序列を示している。
すなわち、２より４が悪く、４より６が悪い。さらに１も悪い。数字の間に表示している「・」は同等を表し、１と４は同等程度に悪く、使用には適していない。
【００２１】
このように、解析統計万年暦に基づくならば、１９７６年の５月生まれの女性が使用するに適している数字は５と９である。前記図２に示した六四易卦図において、外周には１，２，・・・９の数字が繰り返し列記されているが、使用するに適した数字「５」と「９」は開運ラッキーナンバーであり、○印が付記されている。すなわち、○印が付記された角度線は開運ラッキー線３，３・・・と成って表示されている。
【００２２】
本考案の印鑑を構成する印影の文字（漢字）は上記開運ラッキー線３，３・・・と関連して形成されている。すなわち、該印影に表示している名前（笹川薫伽）を表している全ての画４，４・・・の先端は上記開運ラッキー線３，３・・・の上に位置するようにしている。印鑑用としては開運に適した字体を採用していて、該字体の基本形態はコンピュータに入力されている。
したがって、字体の各画４，４・・・の先端が上記開運ラッキー線３，３・・・上に位置するように一部修正することで、解析統計万年暦に基づく本考案の印鑑を製作することが出来る。
【００２３】
解析統計万年暦に基づいて製作される印影の字体は、字体の画先端がその人の生年月によって定まる開運ラッキー線の上に位置するように形成される。したがって、字体だけを真似しても字体の画先端に僅かな差異が生じてしまい、偽造を防止することが出来る。
【００２４】
また、本考案の印鑑はその印影を構成している字体の各画先端を通過する開運ラッキー線が設けられるが、５．６２５°毎に形成されている易卦線２，２・・・の間に配置される開運ラッキー線３，３・・・の本数を調べることで、偽造を見つけ出すことが出来る。  すなわち、開運ラッキー線３，３・・・は中心から延びて字体の画先端を通過していることから、開運ラッキー線３，３・・・の位置が僅かに違うならば、易卦線２，２・・・の間に配置される上記開運ラッキー線３，３・・・の本数に差異が生じる。
【符号の説明】
【００２５】
１   角度線
２   易卦線
３   開運ラッキー線
４   画
【図１】
0003208096.tif 000003
【図２】
0003208096.tif 000004
【図３】
0003208096.tif 000005